(57)【特許請求の範囲】
【請求項１】
第１底壁２中央部に吸込み弁７を有すると共に、該第１底壁２外周からは第１周壁３を起立させて、該第１周壁上端に容器体装着用の第１外向きフランジ４を付設し、又上記第１周壁３との間に間隙をおいて第１底壁２からシリンダ５を起立する本体部材１と、
上記シリンダ５内へ上下動可能に、かつ抜出し不能に嵌合された、吐出弁付きの作動部材２０と、
上記間隙内へ介装されて、本体部材１に対して作動部材２０を上方付勢する圧縮コイルスプリング４０とからなり、
上記シリンダ５外面へ固着させた筒部８上端から内向きフランジ状にピストン抜け止め板９を突設して、該ピストン抜け止め板外周部から外筒を、かつ内周部から内筒を、それぞれ垂設すると共に、
上記作動部材２０は、シリンダ５内面へ上下動可能に嵌合させた筒状ピストン２１と、第２底壁２３外周部を第２外向きフランジ２４として、該第２外向きフランジ内方底壁部分から上面開口のピストン嵌合筒２５を起立すると共に、該ピストン嵌合筒２５よりも内方の第２底壁２３部分から柱状部３２を起立し、かつ該ピストン嵌合筒２５上端部からは外向きフランジ状に上外方へ受皿兼用の押下げ板２７を突出して該押下げ板下面へ圧縮コイルスプリング４０上端を圧接させ、又上記ピストン嵌合筒２５の下部外面にはピストン摺動溝３０を周設させて該ピストン摺動溝内へ上記筒状ピストン２１の内周部を上下動可能に嵌合させ、更にピストン摺動溝３０の下部には吐出弁孔３１を穿設した作動体２２とで形成し、
上記筒状ピストン２１の上限時において、該筒状ピストンの外周筒部を上記ピストン抜け止め板の外筒下端へ、かつ筒状ピストンの内外両筒部間の連結板をピストン抜け止め板の内筒下端へ、それぞれ当接させ、
上記ピストン嵌合筒２５よりもシリンダ５に対する摩擦抵抗を大とすることで第２外向きフランジ２４上面とピストン摺動溝３０の上壁との各押圧で、筒状ピストン２１がシリンダ５内を上下動可能となし、第２外向きフランジ２４上面への筒状ピストン２１下面の着脱で、筒状ピストン２１と第２外向きフランジ２４と吐出弁孔３１とが形成する吐出弁が閉弁および開弁可能とし、
上記筒状ピストン２１の下降でシリンダ内液体等を上記吐出弁孔３１を介して作動部材２０上部に設けたノズル口から上記受皿兼用の押下げ板２７上へ噴出可能に設けると共に、上記筒状ピストンの上昇で容器体内容物を吸込み弁７を介してシリンダ内へ吸上げ可能に設けたことを特徴とするモジュール式縦型ポンプ。
【請求項２】
容器体の口頸部外面へ装着させる第２周壁５２上端に内向きフランジ５３を付設すると共に、該内向きフランジ内周部へ上記第１周壁３上端を抜出し不能に嵌合させて、該第１周壁３上端に付設した第１外向きフランジ４を内向きフランジ５３内周部へ載置させたことを特徴とする請求項１記載のモジュール式縦型ポンプ。
【請求項３】
上記ピストン嵌合筒２５の上端部へ着脱自在に嵌合させる筒栓５９を垂下する頂壁から外周壁６０を垂下してキャップ５８となし、該キャップを上記第１外向きフランジ４又は第２周壁５２上端へ載置させたことを特徴とする請求項１又は２記載のモジュール式縦型ポンプ。
【請求項４】
上記吸込み弁７を有する第１底壁２部分を吸込み弁付きの垂下筒６に形成し、かつ該垂下筒外面へ容器体内へ垂下する吸上げパイプ付きのパイプアダプタ６８を嵌着させたことを特徴とする請求項１、２又は３記載のモジュール式縦型ポンプ。
【請求項５】
容器体から起立する口頸部５１へ、上記請求項１、２又は３記載の縦型ポンプを装着させて、口頸部上端開口面を縦型ポンプで閉塞し、上記容器体は内外２重壁５５、５６とし、かつ内壁は可撓性に富む袋状のシートに形成して容器体内負圧化で外壁から剥離可能にすると共に、外壁の一部には外気導入孔５７を穿設したことを特徴とするモジュール式縦型ポンプ付き容器。
【請求項６】
容器体から起立する口頸部６３へ、上記請求項１、２又は３記載の縦型ポンプを装着させて、口頸部上端開口面を縦型ポンプで閉塞し、上記容器体の底壁に外気導入孔６３を穿設すると共に、上記容器体胴部の下部内へ摺動抵抗板６４を、容器体内負圧化で上昇自在に、かつ水密に嵌合させたことを特徴とするモジュール式縦型ポンプ付き容器。
【請求項７】
容器体から起立する口頸部７０へ、上記請求項４記載の縦型ポンプを装着させて、口頸部上端開口面を縦型ポンプで閉塞し、上記容器体内へ吸上げパイプ７４を垂下させたことを特徴とするモジュール式縦型ポンプ付き容器。
【発明の詳細な説明】
【０００１】
【発明の属する技術分野】
本発明は、モジュール式縦型ポンプと該ポンプ付き容器に関する。
【０００２】
【従来の技術】
ノズル付きの作動部材を上下動させることで、容器体内容物をシリンダ内へ吸上げてノズルから噴出させるポンプは、例えば実開平４−１１２０５０等に開示されているように公知である。
【０００３】
【発明が解決しようとする課題】
近年、組立コスト削減等の観点から部品のモジュール化が推進されてきており、このような傾向は上記ポンプの製造分野にも及んできている。一方、このようなポンプへ装着させる容器についても、内容物の変質防止等の観点から新製品の開発が進められている。かかる実情に鑑みポンプのモジュール化を進める上においても各種容器への適合可能性が求められている。
【０００４】
本発明は、上記実情に鑑みてなされたもので、各種容器へ適合可能なモジュール式縦型ポンプと該ポンプ付きの容器を提供することを目的とする。
【０００５】
【課題を解決するための手段】
第１の手段として、第１底壁２中央部に吸込み弁７を有すると共に、該第１底壁２外周からは第１周壁３を起立させて、該第１周壁上端に容器体装着用の第１外向きフランジ４を付設し、又上記第１周壁３との間に間隙をおいて第１底壁２からシリンダ５を起立する本体部材１と、
上記シリンダ５内へ上下動可能に、かつ抜出し不能に嵌合された、吐出弁付きの作動部材２０と、
上記間隙内へ介装されて、本体部材１に対して作動部材２０を上方付勢する圧縮コイルスプリング４０とからなり、
上記シリンダ５外面へ固着させた筒部８上端から内向きフランジ状にピストン抜け止め板９を突設して、該ピストン抜け止め板外周部から外筒を、かつ内周部から内筒を、それぞれ垂設すると共に、
上記作動部材２０は、シリンダ５内面へ上下動可能に嵌合させた筒状ピストン２１と、第２底壁２３外周部を第２外向きフランジ２４として、該第２外向きフランジ内方底壁部分から上面開口のピストン嵌合筒２５を起立すると共に、該ピストン嵌合筒２５よりも内方の第２底壁２３部分から柱状部３２を起立し、かつ該ピストン嵌合筒２５上端部からは外向きフランジ状に上外方へ受皿兼用の押下げ板２７を突出して該押下げ板下面へ圧縮コイルスプリング４０上端を圧接させ、又上記ピストン嵌合筒２５の下部外面にはピストン摺動溝３０を周設させて該ピストン摺動溝内へ上記筒状ピストン２１の内周部を上下動可能に嵌合させ、更にピストン摺動溝３０の下部には吐出弁孔３１を穿設した作動体２２とで形成し、
上記筒状ピストン２１の上限時において、該筒状ピストンの外周筒部を上記ピストン抜け止め板の外筒下端へ、かつ筒状ピストンの内外両筒部間の連結板をピストン抜け止め板の内筒下端へ、それぞれ当接させ、
上記ピストン嵌合筒２５よりもシリンダ５に対する摩擦抵抗を大とすることで第２外向きフランジ２４上面とピストン摺動溝３０の上壁との各押圧で、筒状ピストン２１がシリンダ５内を上下動可能となし、第２外向きフランジ２４上面への筒状ピストン２１下面の着脱で、筒状ピストン２１と第２外向きフランジ２４と吐出弁孔３１とが形成する吐出弁が閉弁および開弁可能とし、
上記筒状ピストン２１の下降でシリンダ内液体等を上記吐出弁孔３１を介して作動部材２０上部に設けたノズル口から上記受皿兼用の押下げ板２７上へ噴出可能に設けると共に、上記筒状ピストンの上昇で容器体内容物を吸込み弁７を介してシリンダ内へ吸上げ可能に設けた。
【０００７】
第２の手段として、容器体の口頸部外面へ装着させる第２周壁５２上端に内向きフランジ５３を付設すると共に、該内向きフランジ内周部へ上記第１周壁３上端を抜出し不能に嵌合させて、該第１周壁３上端に付設した第１外向きフランジ４を内向きフランジ５３内周部へ載置させた。
【０００８】
第３の手段として、上記ピストン嵌合筒２５の上端部へ着脱自在に嵌合させる筒栓５９を垂下する頂壁から外周壁６０を垂下してキャップ５８となし、該キャップを上記第１外向きフランジ４又は第２周壁５２上端へ載置させた。
【０００９】
第４の手段として、上記吸込み弁７を有する第１底壁２部分を吸込み弁付きの垂下筒６に形成し、かつ該垂下筒外面へ容器体内へ垂下する吸上げパイプ付きのパイプアダプタ６８を嵌着させた。
【００１０】
第５の手段として、容器体から起立する口頸部５１へ、第１、第２又は第３の手段の縦型ポンプを装着させて、口頸部上端開口面を縦型ポンプで閉塞し、上記容器体は内外２重壁５５、５６とし、かつ内壁は可撓性に富む袋状のシートに形成して容器体内負圧化で外壁から剥離可能にすると共に、外壁の一部には外気導入孔５７を穿設した。
【００１１】
第６の手段として、容器体から起立する口頸部６３へ、第１、第２又は第３の手段の縦型ポンプを装着させて、口頸部上端開口面を縦型ポンプで閉塞し、上記容器体の底壁に外気導入孔６３を穿設すると共に、上記容器体胴部の下部内へ摺動抵抗板６４を、容器体内負圧化で上昇自在に、かつ水密に嵌合させた。
【００１２】
第７の手段として、容器体から起立する口頸部７０へ、第４の手段の縦型ポンプを装着させて、口頸部上端開口面を縦型ポンプで閉塞し、上記容器体内へ吸上げパイプ７４を垂下させた。
【００１３】
【発明の実施の形態】
図１は本発明に係るモジュール式縦型ポンプの第１の実施形態を示す。
１は本体部材で、第１底壁２外周から起立する第１周壁３上端に容器体装着用の外向きフランジ４を付設する。また、第１周壁３との間に間隙をおいて第１底壁２からシリンダ５を起立する。さらに、シリンダ５が囲む第１底壁２部分の中央部を垂下筒６に形成して、該垂下筒下端に付設した内向きフランジ内周に吸込み弁７を設ける。
【００１４】
シリンダ５外面へは筒部８を嵌着させ、該筒部上端から内向きフランジ状にピストン抜け止め板９を突設する。該抜け止め板外周部からシリンダ５上端部内面へ嵌合させて外筒を垂設すると共に、抜け止め板内周から内筒を垂設する。また、筒部８下端から第１底壁２へ載置させて外向きフランジ状に受板１０を突設し、該受板外周から第１周壁３の下端部内面へ抜出し不能に嵌着させて短筒を起立する。
【００１５】
２０は作動部材で、シリンダ５内面へ上下動可能に嵌合させた筒状ピストン２１と作動体２２とで形成する。
まず、筒状ピストン２１について説明すると、該ピストンは、外周筒部をシリンダ５内面へ、かつ内周筒部を、後述のピストン嵌合筒２５の下部外面に周設したピストン摺動溝３０内へ、それぞれ上下動自在に嵌合させている。また、抜け止め防止の観点から、ピストンの上限時において外周筒部の上端をピストン抜け止め板９の外筒下端へ、かつ内外両筒部間の連結板を内筒下端へ、それぞれ当接させている。
【００１６】
一方、作動体２２は、第２底壁２３外周部を第２外向きフランジ２４として、該フランジよりも内方の底壁部分から上面開口のピストン嵌合筒２５を起立する。また、該嵌合筒の上部外面へ抜出し不能に嵌着させた垂下筒２６の上端部から外向きフランジ状に上外方へ受皿兼用の押下げ板２７を突出し、さらに該板外周から外周壁２８を垂下して、その下部を第１周壁３とシリンダ５との間隙上部内へ遊挿させると共に、押下げ板２７内周からピストン嵌合筒２５上端部内面へ嵌合させて短筒２９を垂下する。
【００１７】
上述のようにピストン摺動溝３０はピストン嵌合筒２５の下部外面に設けるのであるが、本実施形態では、ピストン嵌合筒２５外面と垂下筒２６の下部内面との間に形成した下面開口の上溝を上壁とし、かつ該溝の下方へ位置させて第２底壁２３上面に周設した上面開口の下溝を下壁として、これら上下両壁間にピストン摺動溝３０を形成する。一方、ピストン摺動溝３０の下部に相当するピストン嵌合筒２５部分には吐出弁孔３１を穿設する。
【００１８】
そして、ピストン嵌合筒２５よりもシリンダ５に対する摩擦抵抗を大とすることで下壁と上壁との各押圧で、筒状ピストン２１がシリンダ５内を上下動可能に設けると共に、下壁への筒状ピストン２１下面の着脱で、筒状ピストン２１と下壁と吐出弁孔３１とが形成する吐出弁が閉弁および開弁可能に設ける。
【００１９】
なお、ピストン嵌合筒２５よりも内方の底壁中央部からピストン嵌合筒２５とほぼ同一高さで、かつ横断面形状が十字形状の柱状部３２を起立させてもよい。該柱状部はピストン嵌合筒２５内の空間の一部を占めることで、該嵌合筒２５内の容積を減少させて、容器体内からピストン嵌合筒２５内へ吸引される液体等の該嵌合筒内における充填速度を高めるためのものである。
【００２０】
４０は圧縮コイルスプリングで、第１周壁３とシリンダ５との間に介装され、かつ押下げ板２７の外周部下面へ上端を、かつ受板１０上面へ下端を、それぞれ圧接させて、本体部材１に対して作動部材２０を上方付勢する。
【００２１】
次に本実施形態の作用について説明する。上記構成に係る縦型ポンプを容器体に装着するには、第１周壁３を容器体口頸部４１内面へ凹凸の係合手段を介して抜出し不能に嵌合させて、第１外向きフランジ４を容器体口頸部上面へ載置させればよい。なお、短筒２９内面へ着脱自在に嵌合させた筒栓を垂下する頂壁から外筒を垂下してキャップ４２となし、該キャップを外向きフランジ４へ載置させて、該外向きフランジ４と外筒とを薄肉ヒンジを介して連結することも可能である。
【００２２】
液体等を吐出させるには、押下げ板２７を圧縮コイルスプリング４０の付勢力に抗して押し下げればよく、すると最初にピストン嵌合筒２５が下降を開始する。この押下げ初期においては筒状ピストン２１に対する摩擦抵抗はピストン嵌合筒２５よりもシリンダ５の方が大であるため、ピストン２１は静止状態を保持する。
【００２３】
このためピストン摺動溝３０の下壁が筒状ピストン２１下端から下方へ離脱し、これによって吐出弁が開く。次いでピストン摺動溝３０の上壁が筒状ピストン２１の上端へ接触することにより筒状ピストン２１が下降を開始し、これによってシリンダ５内の容器体内容物が吐出弁孔３１を介してピストン嵌合筒２５内へ流入し、さらに、柱状部３２上端と短筒２９との間隙が形成するノズル口から受皿兼用の押下げ板２７上へ押し出される。
【００２４】
一方、押下げ板２７から手を離すと、押下げ板２７がコイルスプリング４０の付勢力により上昇させられるため、ピストン摺動溝３０の上壁が筒状ピストン２１上端から上方へ離間すると共に、ピストン嵌合筒２５が上昇してピストン摺動溝３０の下壁が筒状ピストン下端へ嵌合し、これによって吐出弁が閉塞され、かつ筒状ピストン２１が上昇させられる。この筒状ピストンの上昇でシリンダ５内が負圧化して容器体内容物が吸込み弁７を介してシリンダ５内へ吸い上げられる。
【００２５】
図２は縦型ポンプの第２の実施形態と該ポンプへ装着させる容器とを示す。まずポンプについて説明すると、容器体５０の口頸部５１外面へ螺合させる第２周壁５２上端に内向きフランジ５３を付設して、該内向きフランジ内周から短筒５４を垂下すると共に、該短筒を囲む内向きフランジ内周部部分上面に凹部５３ａを形成する。そして、短筒５４内面へ凹凸の係合手段を介して上記第１周壁３上端部を抜出し不能に嵌合させて、該第１周壁３上端に付設した外向きフランジ４を凹部５３ａへ凹凸の係合手段を介して抜出し不能に嵌合させる。その他のポンプの構成は図１と同様であるから説明を省略する。
【００２６】
容器体５０は、ブロー成形により一体に成形した内外２重壁からなり、内壁５５は可撓性に富む袋状のシートに形成して、容器体内負圧化で外壁５６から剥離可能にする。また、外壁５６の一部、通常は外壁の口頸部５１部分に外気導入孔５７を穿設する。
【００２７】
５８はキャップで、短筒２９内面へ着脱自在に嵌合させた筒栓５９を垂下する頂壁から外周壁６０を垂下し、該外周壁を第２周壁５２上端へ載置させて薄肉ヒンジで連結する。なお、図２に示す容器体５０には図１に示す縦型ポンプを装着させることも可能である。この場合には口頸部５１内面に第１周壁３を抜出し不能に嵌合させて外向きフランジ４を口頸部５１上面へ載置させる。
【００２８】
次に作用について説明する。
第１の実施形態におけるのと同様に縦型ポンプの押下げ板２７から手を離すと、筒状ピストン２１が上昇して容器体内が負圧化し、この負圧化によって２点鎖線で示すように内壁５５が外壁５６から剥離して内方へ変形することにより、容器体内容物の吐出量分だけその容積を減少させると共に、内壁５５の容積の減少に起因して形成される外壁５６との間の空間内へ外気導入孔５７を介して外気が導入される。
【００２９】
容器体内容物を使いきって容器体内が空になった場合には第２周壁５２を口頸部５１から螺脱させて縦型ポンプを取り外すことにより、該ポンプを別の詰替え容器に取り付けて再使用することが可能である。
【００３０】
図３は図２に示す縦型ポンプを他の容器に取り付けた例を示すもので、容器体６２から起立する口頸部６２ａ外面へ、図２記載の縦型ポンプが有する第２周壁５２を螺合させて、口頸部上端開口面を縦型ポンプで閉塞する点は図２と同様である。
【００３１】
本実施形態では、容器体６２底壁に外気導入孔６３を穿設すると共に、円筒形状の胴部の下部内へ摺動抵抗板６４を、容器体内負圧化で上昇自在に、かつ水密に嵌合させる。摺動抵抗板としては、その形状・構造に特に限定はないが、本実施形態では、胴部の下部内面へ上下動自在に嵌合させた筒状ピストン型の筒６５の上部内面から内向きフランジ状壁を介して下面閉塞の内周壁６６を垂下して形成する。
【００３２】
なお、図示のように、胴部の上端部外面から外向きフランジを介して下面開口の補強筒６７を胴部底壁よりもやや下方へ垂下させて補強筒下端面を載置面とすることもできる。また、胴部は摺動抵抗板６４が上昇自在な形状であれば四角形状でもよく、特に円筒形状に限定されるものではない。
【００３３】
容器体内容物の費消により、容器体内が空になった場合には第２周壁５２を口頸部から螺脱させて縦型ポンプを取り外すことにより、該ポンプを別の詰替え容器に取り付けて使用することが可能であること上記と同様である。
また、図２におけると同様に、キャップ５８を第２周壁５２上端へ載置させて薄肉ヒンジで連結してもよい。
なお、図３に示す容器体６２には図１に示す縦型ポンプを装着させることが可能であること図２の場合における説明と同様である。
【００３４】
次に作用について説明する。
図２におけると同様に、縦型ポンプの押下げ板２７から手を離すと、容器体内が負圧化するため、摺動抵抗板６４が容器体内容物の費消分だけ上昇し、これによって摺動抵抗板６４と容器体の底壁との間の容積が増大して、両者間の空間が負圧化するため、外気導入孔６３から外気が導入される。
【００３５】
図４は、図２に示す縦型ポンプの第１底壁２から垂下する垂下筒６外面へ吸上げパイプ付きパイプアダプタ６８を嵌着させた縦型ポンプをさらなる他の容器に取り付けた例を示すもので、容器体６９の口頸部７０外面へ第２周壁５２を螺合させて、口頸部の上端開口面を縦型ポンプで閉塞する。
【００３６】
パイプアダプタ６８は垂下筒６外面へ凹凸の係合手段を介して周壁７１を抜出し不能に嵌合させ、該周壁下端に付設した内向きフランジ状底板７２内周からパイプ嵌合筒７３を垂下し、該嵌合筒へ容器体内に垂下する吸上げパイプ７４の上端部を嵌着させている。
【００３７】
なお、第２周壁５２上端に付設した内向きフランジ５３と口頸部７０上面との間に設けたパッキング７５の内周部上面を斜め下方へ切除して、容器体内負圧化で弾性変形可能な薄肉弁部に形成し、かつ該薄肉弁部の内周を内向きフランジ５３の凹部５３ａの下部外面へ接触させると共に、パッキングの外周部上面に、薄肉弁部上面と内向きフランジ５３下面との間隙に連通する径方向への吸気溝７６を複数形成して外気導入弁７７に形成する。
【００３８】
次に作用について説明する。
図２におけると同様に、縦型ポンプの押下げ板２７から手を離すと筒状ピストン２１が上昇してシリンダ５内が負圧化し、これによって容器体内容物が吸上げパイプ７４から吸込み弁７を介してシリンダ５内へ吸上げられる。一方、容器体内負圧化により外気導入弁７７の薄肉弁部が下方へ弾性変形して吸気溝７６と容器体内部とが連通し容器体内へ外気が導入される。
【００３９】
容器体内容物の費消により、容器体内が空になった場合には第２周壁５２を口頸部から螺脱させて縦型ポンプを取り外すことにより、該ポンプを別の詰替え容器に取り付けて再使用することが可能であること図２または図３の場合と同様である。
なお、図２におけると同様に、キャップ５８を第２周壁５２上端へ載置させて薄肉ヒンジで連結してもよい。
また、図４に示す容器体６９には図１に示す縦型ポンプにパイプアダプタ６８を取り付けたものを装着させることが可能である。
【００４０】
上記いずれの実施形態においてもノズル口はピストン嵌合筒２５上端と柱状部３２上端との間隙が形成するが、これに限らずピストン嵌合筒２５内面へノズル付き押下げヘッドを嵌合させて該ノズルから噴出させることも可能である。
なお、容器体内へ収納する内容物としては、液体の他に高粘度のクリーム状物を含む。
【００４１】
【発明の効果】
本発明は、縦型ポンプの基本構成要素たるシリンダ付き本体部材１と作動部材２０と圧縮コイルスプリング４０とをモジュール化すると共に、本体部材に容器体装着用の第１外向きフランジ４を設けたので、組立コストの削減が可能になると共に、第１外向きフランジは容器体へ直接または間接に装着可能であるから、ポンプを種々の容器に適合させることができる。
【００４２】
また、本発明は、押下げ板２７を受皿兼用にして、該受皿上に容器体内容物を押出し可能にしたので、容器体内容物の取出しに際して指を容器体内へ直接差し込む必要がなく、このため容器体内容物が少量の場合は特に顕著であるが、指に容器体内容物が必要以上に付着することがない。
【００４３】
さらに、本発明は、外向きフランジ４に内向きフランジ５３を介して第２周壁５２を連結したので、容器へのポンプの装着手段の豊富化が図れる。
【００４４】
さらに、本発明は、キャップを設けたので、容器体内容物の漏出防止が可能になる。
【００４５】
さらに、本発明は、吸上げパイプ付きのアダプタを設けたので、吸上げ方式の容器への装着が可能になる。
【００４６】
さらに、本発明は、容器体を内外二重壁として、外気導入孔を外壁に穿設することにより、外気を内外二重壁間内に導入するようにしたので、容器体内容物が雑菌にふれることがない。
【００４７】
さらに、本発明は、容器体の底壁に外気導入孔を設けて、外気を摺動抵抗板と容器体底壁との間に導入するようにしたので、上記同様に容器体内容物が雑菌にふれることがない。
【００４８】
さらに、本発明は、吸上げパイプ付きのパイプアダプタを設けたので、容器体内容物がごく少量になっても吸上げが可能である。
【図面の簡単な説明】
【図１】本発明に係る縦型ポンプの第１の実施形態を示す半断面図。
【図２】同じく、縦型ポンプの第２の実施形態とこれを装着した二重壁容器の半断面図。
【図３】同じく、第２の実施形態による縦型ポンプを底壁上昇型の容器に装着した半断面図。
【図４】同じく、第２の実施形態による縦型ポンプを吸上げ式の容器に装着した半断面図。
【符号の説明】
１  本体部材
２  第１底壁
３  第１周壁
４  第１外向きフランジ
５  シリンダ
７  吸込み弁
８  筒部
９  ピストン抜止め板
２０  作動部材
２１  筒状ピストン
２２  作動体
２３  第２底壁
２４  第２外向きフランジ
２５  ピストン嵌合筒
２７  押下げ板
３０  ピストン摺動溝
４０  圧縮コイルスプリング
５０  容器体
５１  口頸部
５２  第２周壁
５３  内向きフランジ
５５  内壁
５６  外壁
５７  外気導入孔
５８  キャップ
５９  筒栓
６０  外周壁
６２  容器体
６２ａ  口頸部
６３  外気導入孔
６４  摺動抵抗板
６８  パイプアダプタ
６９  容器体
７０  口頸部
７３  パイプ嵌合筒
７４  吸上げパイプ
【図１】
0004112163.tif 000002
【図２】
0004112163.tif 000003
【図３】
0004112163.tif 000004
【図４】
0004112163.tif 000005